(57)【要約】【課題】トレイを排出するための排出機構の耐久性を低下させることなく、前後方向のサイズを縮小させることのできるカードコネクタを提供する。【解決手段】カードコネクタ１００は、コネクタ本体２００と、トレイ３００とを有している。コネクタ本体２００には、トレイ３００を排出するための排出機構２２０が設けられている。排出機構２２０は、トレイ３００の排出の際にトレイ３００を押圧する押圧部２２３を少なくとも有している。トレイ３００は、第１カード収容部３１０と、第２カード収容部３４０と、機構収容部３６０とを有している。機構収容部３６０は、前後方向において第１カード収容部３１０の前方に位置している。機構収容部３６０には、被押圧部３６２が設けられている。機構収容部３６０は、トレイ３００がコネクタ本体２００に受容された受容状態において、少なくとも押圧部２２３を収容している。【選択図】図５
2019204642.tif 000002
【特許請求の範囲】
【請求項１】
コネクタ本体と、トレイとを有するカードコネクタであって、
前記コネクタ本体は、前後方向に沿って前記トレイを受容し、
前記コネクタ本体には、前記トレイを排出するための排出機構が設けられており、
前記排出機構は、前記トレイの排出の際に前記トレイを押圧する押圧部を少なくとも有しており、
前記トレイは、第１カード収容部と、第２カード収容部と、機構収容部とを有しており、
前記第１カード収容部及び前記機構収容部の夫々は、前記前後方向と直交する上下方向において、前記第２カード収容部の上方に位置しており、
前記第１カード収容部の前端は、前記第２カード収容部の前端よりも前記前後方向において後方に位置しており、
前記機構収容部は、前記前後方向において前記第１カード収容部の前方に位置しており、
前記機構収容部には、被押圧部が設けられており、
前記機構収容部は、前記トレイが前記コネクタ本体に受容された受容状態において、少なくとも前記押圧部を収容しており、
前記押圧部が前記被押圧部を押圧すると、前記トレイが前記コネクタ本体から排出される
カードコネクタ。
【請求項２】
請求項１記載のカードコネクタであって、
前記機構収容部は、前記前後方向において前方に開放しており、
前記被押圧部は、前記前後方向において前方に向いている
カードコネクタ。
【請求項３】
請求項１又は請求項２記載のカードコネクタであって、
前記前後方向において、前記機構収容部の位置と、前記第２カード収容部の位置とは、部分的に重複している
カードコネクタ。
【請求項４】
請求項３記載のカードコネクタであって、
前記トレイは、仕切部を有しており、
前記仕切部は、前記上下方向において、前記機構収容部と前記第２カード収容部とを仕切っている
カードコネクタ。
【請求項５】
請求項１から請求項４までのいずれかに記載のカードコネクタであって、
前記排出機構は、イジェクトレバーと、軸部とを少なくとも備えており、
前記イジェクトレバーは、前記軸部を軸として動くことができ、
前記押圧部は、前記イジェクトレバーに設けられており、
前記受容状態において、前記イジェクトレバーは部分的に前記機構収容部に収容されている
カードコネクタ。
【請求項６】
請求項５記載のカードコネクタであって、
前記排出機構は、イジェクトバーを更に備えており、
前記イジェクトバーは、前記前後方向に移動可能であり、
前記イジェクトバーを前記前後方向において前方に移動させると、前記イジェクトレバーが前記軸部を軸として動き、前記押圧部が前記被押圧部を押圧する
カードコネクタ。
【請求項７】
請求項６記載のカードコネクタであって、
前記コネクタ本体は、前壁部を有しており、
前記受容状態において、前記イジェクトバーの前方への移動が開始されるとき、前記イジェクトレバーは前記前壁部に押し付けられる
カードコネクタ。
【請求項８】
請求項５から請求項７までのいずれかに記載のカードコネクタであって、
前記コネクタ本体は、第１部材と、第２部材とを備えており、
前記第１部材は、前記上下方向において前記第２部材の上方に位置しており、
前記軸部は、前記第１部材に設けられており、
前記イジェクトレバーは、前記軸部に支持されている
カードコネクタ。
【請求項９】
請求項５から請求項８までのいずれかに記載のカードコネクタであって、
前記トレイには、被保持部が設けられており、
前記コネクタ本体には、保持バネ部が設けられており、
前記受容状態において、前記被保持部は、前記保持バネ部から少なくとも前方に向かう力を受けている
カードコネクタ。
【請求項１０】
請求項５から請求項９までのいずれかに記載のカードコネクタであって、
前記トレイは、第１肉厚部と、第２肉厚部とを更に有しており、
前記第１肉厚部は、前記上下方向において前記第２肉厚部の上方に位置しており、
前記第１肉厚部は、前記前後方向において、前記機構収容部と前記第１カード収容部との間に位置しており、
前記第２肉厚部は、前記前後方向において、前記トレイの最前端と前記第２カード収容部との間に位置しており、
前記第１肉厚部は、前記前後方向において、前記第２肉厚部よりも大きなサイズを有している
カードコネクタ。
【請求項１１】
請求項１から請求項１０までのいずれかに記載のカードコネクタであって、
前記トレイには、スイッチ収容部と、スイッチ操作部とが設けられており、
前記スイッチ操作部は、前記スイッチ収容部内に位置しており、
前記スイッチ収容部は、前記上下方向において前記第２カード収容部の上方に位置していると共に、前記前後方向において前記第１カード収容部の前方に位置しており、
前記コネクタ本体は、前記受容状態を検知するための検知スイッチを更に備えており、
前記検知スイッチは、被操作部を備えており、
前記受容状態において、前記検知スイッチは、少なくとも部分的に前記スイッチ収容部に収容されており、前記スイッチ操作部は、前記検知スイッチの前記被操作部を押圧して前記検知スイッチを操作する
カードコネクタ。
【請求項１２】
請求項１１記載のカードコネクタであって、
前記検知スイッチは、前記受容状態において、前記上下方向において前記第２カード収容部の上方のみに位置している
カードコネクタ。
【発明の詳細な説明】
【技術分野】
【０００１】
本発明は、カードコネクタに関する。
【背景技術】
【０００２】
図２１及び図２２に示されるように、特許文献１には、トレイ９１０と、コネクタ本体９５０とを有するカードコネクタ９００が開示されている。コネクタ本体９５０は、前後方向（Ｘ方向）に沿ってトレイ９１０を受容する。コネクタ本体９５０には、トレイ９１０を排出するための排出機構９６０が設けられている。排出機構９６０は、トレイ９１０の排出の際にトレイ９１０を押圧する押圧部９６２を有している。トレイ９１０は、第１カード収容部９１２と、第２カード収容部９１４と、被押圧部９１６とを有している。第１カード収容部９１２は、前後方向と直交する上下方向（Ｚ方向）において、第２カード収容部９１４の上方に位置している。被押圧部９１６は、前後方向においてトレイ９１０の前端（＋Ｘ端）に位置している。排出機構９６０の押圧部９６２がトレイ９１０の被押圧部９１６を押圧すると、トレイ９１０がコネクタ本体９５０から排出される。
【先行技術文献】
【特許文献】
【０００３】
【特許文献１】特開２０１８−１０７２７号公報
【発明の概要】
【発明が解決しようとする課題】
【０００４】
近年、カードコネクタを搭載したスマートフォン等において、内部の部品のレイアウト上、搭載されるカードコネクタの奥行き寸法、即ち前後方向のサイズの縮小化が求められている。ここで、カードコネクタ９００の前後方向のサイズを小さくするためには、排出機構９６０を小型化・簡略化して動作スペースを縮小することが考えられる。しかしながら、排出機構９６０の動作スペースを縮小した場合、排出機構９６０の耐久性が低下するという新たな問題が生じることとなる。
【０００５】
よって本発明は、トレイを排出するための排出機構の耐久性を低下させることなく、前後方向のサイズを縮小させることのできるカードコネクタを提供することを目的とする。
【課題を解決するための手段】
【０００６】
本発明は、第１のカードコネクタとして、
コネクタ本体と、トレイとを有するカードコネクタであって、
前記コネクタ本体は、前後方向に沿って前記トレイを受容し、
前記コネクタ本体には、前記トレイを排出するための排出機構が設けられており、
前記排出機構は、前記トレイの排出の際に前記トレイを押圧する押圧部を少なくとも有しており、
前記トレイは、第１カード収容部と、第２カード収容部と、機構収容部とを有しており、
前記第１カード収容部及び前記機構収容部の夫々は、前記前後方向と直交する上下方向において、前記第２カード収容部の上方に位置しており、
前記第１カード収容部の前端は、前記第２カード収容部の前端よりも前記前後方向において後方に位置しており、
前記機構収容部は、前記前後方向において前記第１カード収容部の前方に位置しており、
前記機構収容部には、被押圧部が設けられており、
前記機構収容部は、前記トレイが前記コネクタ本体に受容された受容状態において、少なくとも前記押圧部を収容しており、
前記押圧部が前記被押圧部を押圧すると、前記トレイが前記コネクタ本体から排出される
カードコネクタを提供する。
【０００７】
また、本発明は、第２のカードコネクタとして、第１のカードコネクタであって、
前記機構収容部は、前記前後方向において前方に開放しており、
前記被押圧部は、前記前後方向において前方に向いている
カードコネクタを提供する。
【０００８】
また、本発明は、第３のカードコネクタとして、第１又は第２のカードコネクタであって、
前記前後方向において、前記機構収容部の位置と、前記第２カード収容部の位置とは、部分的に重複している
カードコネクタを提供する。
【０００９】
また、本発明は、第４のカードコネクタとして、第３のカードコネクタであって、
前記トレイは、仕切部を有しており、
前記仕切部は、前記上下方向において、前記機構収容部と前記第２カード収容部とを仕切っている
カードコネクタを提供する。
【００１０】
また、本発明は、第５のカードコネクタとして、第１から第４までのいずれかのカードコネクタであって、
前記排出機構は、イジェクトレバーと、軸部とを少なくとも備えており、
前記イジェクトレバーは、前記軸部を軸として動くことができ、
前記押圧部は、前記イジェクトレバーに設けられており、
前記受容状態において、前記イジェクトレバーは部分的に前記機構収容部に収容されている
カードコネクタを提供する。
【００１１】
また、本発明は、第６のカードコネクタとして、第５のカードコネクタであって、
前記排出機構は、イジェクトバーを更に備えており、
前記イジェクトバーは、前記前後方向に移動可能であり、
前記イジェクトバーを前記前後方向において前方に移動させると、前記イジェクトレバーが前記軸部を軸として動き、前記押圧部が前記被押圧部を押圧する
カードコネクタを提供する。
【００１２】
また、本発明は、第７のカードコネクタとして、第６のカードコネクタであって、
前記コネクタ本体は、前壁部を有しており、
前記受容状態において、前記イジェクトバーの前方への移動が開始されるとき、前記イジェクトレバーは前記前壁部に押し付けられる
カードコネクタを提供する。
【００１３】
また、本発明は、第８のカードコネクタとして、第５から第７までのいずれかのカードコネクタであって、
前記コネクタ本体は、第１部材と、第２部材とを備えており、
前記第１部材は、前記上下方向において前記第２部材の上方に位置しており、
前記軸部は、前記第１部材に設けられており、
前記イジェクトレバーは、前記軸部に支持されている
カードコネクタを提供する。
【００１４】
また、本発明は、第９のカードコネクタとして、第５から第８までのいずれかのカードコネクタであって、
前記トレイには、被保持部が設けられており、
前記コネクタ本体には、保持バネ部が設けられており、
前記受容状態において、前記被保持部は、前記保持バネ部から少なくとも前方に向かう力を受けている
カードコネクタを提供する。
【００１５】
また、本発明は、第１０のカードコネクタとして、第５から第９までのいずれかのカードコネクタであって、
前記トレイは、第１肉厚部と、第２肉厚部とを更に有しており、
前記第１肉厚部は、前記上下方向において前記第２肉厚部の上方に位置しており、
前記第１肉厚部は、前記前後方向において、前記機構収容部と前記第１カード収容部との間に位置しており、
前記第２肉厚部は、前記前後方向において、前記トレイの最前端と前記第２カード収容部との間に位置しており、
前記第１肉厚部は、前記前後方向において、前記第２肉厚部よりも大きなサイズを有している
カードコネクタを提供する。
【００１６】
また、本発明は、第１１のカードコネクタとして、第１から第１０までのいずれかのカードコネクタであって、
前記トレイには、スイッチ収容部と、スイッチ操作部とが設けられており、
前記スイッチ操作部は、前記スイッチ収容部内に位置しており、
前記スイッチ収容部は、前記上下方向において前記第２カード収容部の上方に位置していると共に、前記前後方向において前記第１カード収容部の前方に位置しており、
前記コネクタ本体は、前記受容状態を検知するための検知スイッチを更に備えており、
前記検知スイッチは、被操作部を備えており、
前記受容状態において、前記検知スイッチは、少なくとも部分的に前記スイッチ収容部に収容されており、前記スイッチ操作部は、前記検知スイッチの前記被操作部を押圧して前記検知スイッチを操作する
カードコネクタを提供する。
【００１７】
また、本発明は、第１２のカードコネクタとして、第１１のカードコネクタであって、
前記検知スイッチは、前記受容状態において、前記上下方向において前記第２カード収容部の上方のみに位置している
カードコネクタを提供する。
【発明の効果】
【００１８】
本発明のカードコネクタのトレイは、第１カード収容部の前方に位置する機構収容部を有しており、この機構収容部は、トレイがカードコネクタのコネクタ本体に受容された受容状態において、少なくともコネクタ本体の排出機構の押圧部を収容している。これにより、トレイを排出するための排出機構の耐久性を低下させることなく、カードコネクタの前後方向のサイズを縮小させることができる。
【図面の簡単な説明】
【００１９】
【図１】本発明の実施の形態によるカードコネクタを示す斜視図である。図示されたカードコネクタは、トレイがコネクタ本体に受容された受容状態にある。
【図２】図１のカードネクタを示す側面図である。
【図３】図２のカードコネクタをＡ−Ａ線に沿って示す断面図である。
【図４】図１のカードコネクタを示す上面図である。
【図５】図４のカードコネクタをＢ−Ｂ線に沿って示す断面図である。
【図６】図４のカードコネクタをＣ−Ｃ線に沿って示す部分断面図である。
【図７】図１のカードコネクタを示す別の斜視図である。図示されたカードコネクタは、トレイがコネクタ本体から排出された排出状態にある。
【図８】図７のカードコネクタを示す側面図である。
【図９】図８のカードコネクタをＤ−Ｄ線に沿って示す断面図である。
【図１０】図１のカードコネクタを示す更に別の斜視図である。図示されたカードコネクタは、トレイがコネクタ本体から引き出された引出状態にある。
【図１１】図１０のカードコネクタを示す上面図である。
【図１２】図１１のカードコネクタをＥ−Ｅ線に沿って示す断面図である。図において、トレイの一部を拡大して示している。
【図１３】図１１のカードコネクタをＦ−Ｆ線に沿って示す部分断面図である。
【図１４】図１のカードコネクタを示す分解斜視図である。
【図１５】図１４のカードコネクタに含まれる第１部材を示す斜視図である。
【図１６】図１５の第１部材を示す分解斜視図である。
【図１７】図１４のカードコネクタに含まれるトレイを示す斜視図である。
【図１８】図１７のトレイを示す上面図である。
【図１９】図１７のトレイを示す底面図である。
【図２０】図１７のトレイを示す側面図である。
【図２１】特許文献１のカードコネクタの一部を示す斜視図である。
【図２２】図２１のカードコネクタに含まれるトレイを示す断面図である。
【発明を実施するための形態】
【００２０】
図１に示されるように、本発明の実施の形態によるカードコネクタ１００は、コネクタ本体２００と、トレイ３００とを有している。
【００２１】
図５に示されるように、本実施の形態のコネクタ本体２００は、前後方向に沿ってトレイ３００を受容する。より詳しくは、コネクタ本体２００は、前後方向に沿って後方からトレイ３００を受容する。本実施の形態において、前後方向はＸ方向である。また、前方は＋Ｘ方向であり、後方は−Ｘ方向である。
【００２２】
図１４に示されるように、本実施の形態のコネクタ本体２００は、第１部材２１０と、第２部材２５０と、複数の端子２７０とを備えている。
【００２３】
図１２に示されるように、本実施の形態の第１部材２１０は、上下方向において第２部材２５０の上方に位置している。本実施の形態において、上下方向はＺ方向である。また、上方は＋Ｚ方向であり、下方は−Ｚ方向である。
【００２４】
図１５に示されるように、本実施の形態の第１部材２１０は、第１ハウジング２１５と、第１シェル２１１と、排出機構２２０と、検知スイッチ２４０とを有している。
【００２５】
図１６を参照して、本実施の形態の第１ハウジング２１５は絶縁体からなり、平板部２１６と、突出部２１７とを有している。
【００２６】
図１６に示されるように、本実施の形態の平板部２１６は、上下方向と直交する略平板形状を有している。
【００２７】
図１６に示されるように、本実施の形態の突出部２１７は、前後方向及び上下方向と直交する幅方向に延びている。本実施の形態において、幅方向はＹ方向である。突出部２１７は、平板部２１６から上下方向において下方に突出している。即ち、突出部２１７の下端は、平板部２１６の下端よりも下方に位置している。突出部２１７は、第１ハウジング２１５の前端を規定している。
【００２８】
図１６を参照して、本実施の形態の第１シェル２１１は金属製であり、天井部２１４と、前壁部２１２と、２つの側壁部２１３とを有している。即ち、コネクタ本体２００は、前壁部２１２を有している。
【００２９】
図１６に示されるように、本実施の形態の天井部２１４は、上下方向と直交する略平板形状を有している。天井部２１４は、第１シェル２１１の上端を規定している。天井部２１４は、上下方向において第１ハウジング２１５の平板部２１６の上方に位置している。
【００３０】
図１６に示されるように、本実施の形態の前壁部２１２は、前後方向と直交する略平板形状を有している。前壁部２１２は、天井部２１４の前端から下方に延びている。前壁部２１２は、第１シェル２１１の前端を規定している。
【００３１】
図１６に示されるように、本実施の形態の側壁部２１３は、天井部２１４の幅方向両端から、夫々下方に延びている。側壁部２１３は、第１シェル２１１の幅方向外端を規定している。
【００３２】
図１６に示されるように、本実施の形態の側壁部２１３の夫々は、保持バネ部２３０を有している。即ち、コネクタ本体２００には、保持バネ部２３０が設けられている。
【００３３】
図１６に示されるように、本実施の形態の保持バネ部２３０は、幅方向内側に突出している。保持バネ部２３０は、幅方向において弾性変形可能となっている。
【００３４】
図３及び図９を参照して、本実施の形態の排出機構２２０は、トレイ３００がコネクタ本体２００に受容された受容状態において、トレイ３００をコネクタ本体２００から排出するための機構である。即ち、コネクタ本体２００には、トレイ３００を排出するための排出機構２２０が設けられている。
【００３５】
図１５に示されるように、本実施の形態の排出機構２２０は、軸部２２５と、イジェクトレバー２２２とを有している。即ち、軸部２２５は、第１部材２１０に設けられている。
【００３６】
図１６に示されるように、本実施の形態の軸部２２５は、第１ハウジング２１５の突出部２１７から下方に突出している。軸部２２５は、上下方向を軸とする略円柱形状を有している。
【００３７】
図１６に示されるように、本実施の形態のイジェクトレバー２２２は、押圧部２２３と、軸孔２２４と、押付部２２９と、被係合部２２８とを有している。即ち、押圧部２２３は、イジェクトレバー２２２に設けられている。図１５に示されるように、イジェクトレバー２２２は、軸部２２５に支持されている。イジェクトレバー２２２は、軸部２２５を軸として動くことができる。より詳しくは、イジェクトレバー２２２は、軸部２２５を軸として上下方向と直交する平面内において回転運動可能となっている。
【００３８】
図１６に示されるように、本実施の形態の押圧部２２３は、イジェクトレバー２２２の幅方向内端近傍に位置している。押圧部２２３は、トレイ３００の排出の際にトレイ３００を押圧するものである。
【００３９】
図１６に示されるように、本実施の形態の軸孔２２４は、上下方向にイジェクトレバー２２２を貫通している。軸孔２２４は、幅方向において押圧部２２３と被係合部２２８との間に位置している。より詳しくは、軸孔２２４は、第１部材２１０の幅方向における中心から見て、幅方向において、押圧部２２３の外側に位置しており、且つ、被係合部２２８の内側に位置している。軸孔２２４は、上下方向を軸とする円筒形状を有している。軸孔２２４には軸部２２５が挿入されている。
【００４０】
図１６に示されるように、本実施の形態の押付部２２９は、前後方向において、軸孔２２４の前方に位置している。押付部２２９は、幅方向において、押圧部２２３と被係合部２２８との間に位置している。より詳しくは、押付部２２９は、第１部材２１０の幅方向における中心から見て、幅方向において、押圧部２２３の外側に位置しており、且つ、被係合部２２８の内側に位置している。
【００４１】
図１５に示されるように、本実施の形態の被係合部２２８は、イジェクトレバー２２２の幅方向外端付近に位置している。
【００４２】
図１４に示されるように、本実施の形態の排出機構２２０は、イジェクトバー２２６を更に備えている。イジェクトバー２２６は、前後方向に延びており、前端付近に係合部２２７を有している。イジェクトバー２２６は、前後方向に移動可能である。図３に示されるように、イジェクトバー２２６の係合部２２７は、イジェクトレバー２２２の被係合部２２８と係合している。図３及び図９を参照して、イジェクトバー２２６を前後方向に移動させた場合、イジェクトレバー２２２は軸部２２５を軸として回転運動するように構成されている。より詳しくは、イジェクトバー２２６を図３の状態から前方に移動させた場合、イジェクトレバー２２２の被係合部２２８が前方に移動すると共に、イジェクトレバー２２２の押圧部２２３は後方に移動する。また、イジェクトバー２２６を図９の状態から後方に移動させた場合、イジェクトレバー２２２の被係合部２２８が後方に移動すると共に、イジェクトレバー２２２の押圧部２２３は前方に移動する。
【００４３】
図３及び図９を参照して、本実施の形態の検知スイッチ２４０は、トレイ３００がコネクタ本体２００に受容された受容状態を検知するためのものである。即ち、コネクタ本体２００は、トレイ３００がコネクタ本体２００に受容された受容状態を検知するための検知スイッチ２４０を更に備えている。
【００４４】
図１５を参照して、本実施の形態の検知スイッチ２４０は、第１ハウジング２１５の突出部２１７から後方且つ幅方向内側に延びている。検知スイッチ２４０の幅方向外端は、第１ハウジング２１５の突出部２１７に固定されている。検知スイッチ２４０の後端であって幅方向内端は、自由端である。検知スイッチ２４０は、幅方向において排出機構２２０と間隔を空けて位置している。本実施の形態の検知スイッチ２４０は、ノーマルクローズである。なお本発明はこれに限定されず、検知スイッチ２４０は、ノーマルオープンであってもよい。
【００４５】
図１５に示されるように、本実施の形態の検知スイッチ２４０は、被操作部２４２を備えている。被操作部２４２は、検知スイッチ２４０の自由端に設けられている。
【００４６】
図１４に示されるように、本実施の形態の第２部材２５０は、第２ハウジング２５５と、第２シェル２５１とを有している。
【００４７】
図１４を参照して、本実施の形態の第２ハウジング２５５は絶縁体からなり、上下方向と直交する略平板形状を有している。図１２に示されるように、第２ハウジング２５５は、上下方向において第１部材２１０の第１ハウジング２１５の下方に位置している。
【００４８】
図１４を参照して、本実施の形態の第２シェル２５１は金属製であり、底部２５４と、側壁部２５３とを有している。
【００４９】
図１４を参照して、本実施の形態の底部２５４は、上下方向と直交する略平板形状を有している。底部２５４は、第２シェル２５１の下端を規定している。底部２５４は、上下方向において、第２ハウジング２５５の下方に位置している。
【００５０】
図１４に示されるように、本実施の形態の側壁部２５３は、底部２５４の幅方向両端から、夫々上方に延びている。
【００５１】
図１２に示されるように、本実施の形態の第１部材２１０及び第２部材２５０は、トレイ受容部２０５を構成している。
【００５２】
図１２に示されるように、本実施の形態のトレイ受容部２０５は、前後方向に延びる空間であり、後端に開口部２０６を有している。トレイ受容部２０５は、後端において開口しており、前端は閉じている。トレイ受容部２０５は、トレイ３００を開口部２０６からコネクタ本体２００に挿入した際に、トレイ３００を受容する空間である。開口部２０６は、前後方向においてコネクタ本体２００の後端に位置している。
【００５３】
図１４に示されるように、本実施の形態の端子２７０は、複数の第１端子２７２と、複数の第２端子２７５とを含んでいる。
【００５４】
図１６を参照して、本実施の形態の第１端子２７２の夫々は、金属製であり、第１接点部２７３を有している。第１端子２７２の夫々は、第１部材２１０の第１ハウジング２１５の平板部２１６に保持されている。図１２に示されるように、第１接点部２７３は、第１部材２１０の第１ハウジング２１５の平板部２１６の下端よりも下方に位置している。
【００５５】
図１４を参照して、本実施の形態の第２端子２７５は、金属製であり、第２接点部２７６を有している。第２端子２７５の夫々は、第２部材２５０の第２ハウジング２５５に保持されている。図１２に示されるように、第２接点部２７６は、第２部材２５０の第２ハウジング２５５の上端よりも上方に位置している。
【００５６】
図１８及び図１９を参照して、本実施の形態のトレイ３００は樹脂製であり、第１カード収容部３１０と、第２カード収容部３４０と、第１肉厚部３２０と、第２肉厚部３５０と、機構収容部３６０と、仕切部３８０と、２つの凹部３８５とを有している。
【００５７】
図１０に示されるように、本実施の形態の第１カード収容部３１０は、第１カード（カード）５００を収容するものである。
【００５８】
図１０に示されるように、本実施の形態の第１カード５００は、複数のパッド５１０を有するナノＳＩＭカード５００である。図５及び図１２を参照して、第１カード５００を収容したトレイ３００がコネクタ本体２００に受容された受容状態において、第１カード５００のパッド５１０は、コネクタ本体２００の端子２７０の第１端子２７２の第１接点部２７３に夫々接続される。
【００５９】
図１７に示されるように、本実施の形態の第１カード収容部３１０は、上下方向において上方に開放している。図１２に示されるように、第１カード収容部３１０は、前後方向と直交する上下方向において、第２カード収容部３４０の上方に位置している。なお、本発明はこれに限定されず、第１カード収容部３１０は、上下方向において、第２カード収容部３４０の下方に位置していてもよい。
【００６０】
図１２に示されるように、第１カード収容部３１０の前端３１２は、前後方向において第２カード収容部３４０の前端３４６よりも後方に位置している。
【００６１】
図１２に示されるように、本実施の形態の第２カード収容部３４０は、第２カード（カード）６００を収容するものである。
【００６２】
図１４を参照して、本実施の形態の第２カード６００は、マイクロＳＤカード６００である。第２カード６００を収容したトレイ３００がコネクタ本体２００に受容された受容状態において、第２カード６００のパッド（図示せず）は、コネクタ本体２００の端子２７０の第２端子２７５の第２接点部２７６に夫々接続される。
【００６３】
図１２を参照して、本実施の形態の第２カード収容部３４０は、上下方向において下方に開放している。第２カード収容部３４０は、上下方向において、第１カード収容部３１０の下方に位置している。図５及び図６を参照して、コネクタ本体２００の第１部材２１０の検知スイッチ２４０は、トレイ３００がコネクタ本体２００に受容された受容状態において、上下方向において第２カード収容部３４０の上方のみに位置している。
【００６４】
図１２を参照して、本実施の形態の第１肉厚部３２０は、樹脂のみで構成されている。第１肉厚部３２０は、上下方向において第２肉厚部３５０の上方に位置している。第１肉厚部３２０は、前後方向において、機構収容部３６０と第１カード収容部３１０との間に位置している。より詳しくは、第１肉厚部３２０は、前後方向において、機構収容部３６０の後方に位置しており、且つ、第１カード収容部３１０の前方に位置している。第１肉厚部３２０は、前後方向において仕切部３８０の後方に位置している。
【００６５】
図１２を参照して、本実施の形態の第２肉厚部３５０は、樹脂のみで構成されている。第２肉厚部３５０は、前後方向において、トレイ３００の最前端３０５と第２カード収容部３４０との間に位置している。より詳しくは、第２肉厚部３５０は、前後方向において、トレイ３００の最前端３０５の後方に位置しており、且つ、第２カード収容部３４０の前方に位置している。第２肉厚部３５０は、前後方向において仕切部３８０の前方に位置している。第２肉厚部３５０の前後方向におけるサイズＳ２は、第１肉厚部３２０の前後方向におけるサイズＳ１より小さい。即ち、第１肉厚部３２０は、前後方向において、第２肉厚部３５０よりも大きなサイズＳ１を有している。
【００６６】
図１７に示されるように、本実施の形態の機構収容部３６０は、前後方向において前方に開放している。より詳しくは、機構収容部３６０は、前後方向において前方に開放しており、上下方向において上方に開放している。図１２に示されるように、本実施の形態の機構収容部３６０は、前後方向と直交する上下方向において、第２カード収容部３４０の上方に位置している。機構収容部３６０は、前後方向において第１カード収容部３１０の前方に位置している。前後方向において、機構収容部３６０の位置と、第２カード収容部３４０の位置とは、部分的に重複している。これにより、カードコネクタ１００の前後方向のサイズをより小さくすることができる。
【００６７】
図５に示されるように、機構収容部３６０は、トレイ３００がコネクタ本体２００に受容された受容状態において、押圧部２２３と、イジェクトレバー２２２を収容している。即ち、トレイ３００がコネクタ本体２００に受容された受容状態において、イジェクトレバー２２２は部分的に機構収容部３６０に収容されている。しかしながら本発明はこれに限定されず、機構収容部３６０は、トレイ３００がコネクタ本体２００に受容された受容状態において、少なくとも押圧部２２３を収容していればよい。
【００６８】
図１７に示されるように、本実施の形態の機構収容部３６０には、被押圧部３６２が設けられている。被押圧部３６２は、前後方向において前方に向いている。本実施の形態の被押圧部３６２は、第１肉厚部３２０の前端の一部である。図３及び図９を参照して、イジェクトレバー２２２の押圧部２２３が機構収容部３６０の被押圧部３６２を押圧すると、トレイ３００がコネクタ本体２００から排出される。
【００６９】
上述のように、機構収容部３６０の被押圧部３６２は、樹脂のみで構成された第１肉厚部３２０の前端の一部であり、第１肉厚部３２０は、前後方向において、第２肉厚部３５０のサイズＳ２よりも大きなサイズＳ１を有している。これにより、イジェクトレバー２２２の押圧部２２３によって押圧されるトレイ３００の機構収容部３６０の被押圧部３６２は、十分な強度を有することができる。なお、本発明はこれに限定されず、第１肉厚部３２０に金属部材をインサートすることにより、第１肉厚部３２０の強度をより高めてもよい。
【００７０】
図１７に示されるように、本実施の形態の仕切部３８０は、上下方向と直交する平板形状を有している。また、仕切部３８０は、幅方向に延びている。本実施の形態のトレイ３００は、この仕切部３８０を有していることにより、仕切部３８０を有さない場合と比較して、トレイ３００の成型時の樹脂の流動性に優れており、トレイ３００の成形性に優れる。
【００７１】
図１２に示されるように、本実施の形態の仕切部３８０は、前後方向において第１カード収容部３１０の前方に位置している。仕切部３８０は、上下方向において、第１カード収容部３１０と第２カード収容部３４０との間に位置している。より詳しくは、上下方向において、仕切部３８０は、第１カード収容部３１０の下方に位置しており、且つ、第２カード収容部３４０の上方に位置している。
【００７２】
図１２に示されるように、本実施の形態の仕切部３８０は、上下方向において、機構収容部３６０と第２カード収容部３４０との間に位置している。より詳しくは、仕切部３８０は、上下方向において、機構収容部３６０の下方に位置しており、且つ、第２カード収容部３４０の上方に位置している。本実施の形態の仕切部３８０は、上下方向において、機構収容部３６０と第２カード収容部３４０とを仕切っている。即ち、機構収容部３６０と第２カード収容部３４０とは上下方向において連通していない。
【００７３】
図５に示されるように、トレイ３００がコネクタ本体２００に受容された受容状態において、本実施の形態の仕切部３８０は、上下方向において、コネクタ本体２００の第１部材２１０の排出機構２２０のイジェクトレバー２２２の押圧部２２３の下端と対向している。また、図５及び図６を参照して、トレイ３００がコネクタ本体２００に受容された受容状態において、本実施の形態の仕切部３８０は、上下方向において、コネクタ本体２００の第１部材２１０の検知スイッチ２４０の被操作部２４２の下端と対向している。
【００７４】
図１８に示されるように、本実施の形態の凹部３８５は、幅方向内側に凹んでいる。凹部３８５は、トレイ３００の幅方向両側に夫々位置している。図１４に示されるように、凹部３８５は、前後方向において斜め後方外側に向いた平面３９０を有しており、この平面３９０は、被保持部３９０として機能する。即ち、本実施の形態のトレイ３００には、被保持部３９０が設けられている。
【００７５】
図１８に示されるように、本実施の形態の被保持部３９０は、前後方向及び幅方向の双方と斜交している。図３を参照して、トレイ３００がコネクタ本体２００に受容された受容状態において、被保持部３９０は、保持バネ部２３０から少なくとも前方に向かう力を受けている。
【００７６】
図１７に示されるように、本実施の形態のトレイ３００には、スイッチ収容部３７０と、スイッチ操作部３７２とが設けられている。
【００７７】
図１７に示されるように、本実施の形態のスイッチ収容部３７０は、前後方向において前方に開放している。より詳しくは、スイッチ収容部３７０は、前後方向において前方に開放しており、上下方向において上方に開放している。図１２及び図２０を参照して、本実施の形態のスイッチ収容部３７０は、上下方向において第２カード収容部３４０の上方に位置していると共に、前後方向において第１カード収容部３１０の前方に位置している。図１８に示されるように、本実施の形態のトレイ３００においては、スイッチ収容部３７０と機構収容部３６０とは、幅方向において連続している。なお本発明はこれに限定されず、スイッチ収容部３７０と機構収容部３６０とは、幅方向において連続していなくてもよい。
【００７８】
図１７に示されるように、本実施の形態のスイッチ操作部３７２は、スイッチ収容部３７０内に位置している。本実施の形態のスイッチ操作部３７２は、第１肉厚部３２０の前端の一部である。図１８に示されるように、スイッチ操作部３７２は、幅方向において、機構収容部３６０の被押圧部３６２と間隔を空けて位置している。
【００７９】
図６に示されるように、トレイ３００がコネクタ本体２００に受容された受容状態において、検知スイッチ２４０は、少なくとも部分的にスイッチ収容部３７０に収容されており、スイッチ操作部３７２は、検知スイッチ２４０の被操作部２４２を押圧して検知スイッチ２４０を操作する。
【００８０】
コネクタ本体２００がトレイ３００を受容する際の、コネクタ本体２００及びトレイ３００の各部位の動作及び状態を以下に詳述する。
【００８１】
まず、図１２を参照して、前後方向において、トレイ３００の最前端３０５が、コネクタ本体２００のトレイ受容部２０５の開口部２０６と対向するように、コネクタ本体２００及びトレイ３００を位置決めする。
【００８２】
次に、トレイ３００をコネクタ本体２００に対して前方に相対移動する。これにより、図３及び図５に示されるように、トレイ３００がコネクタ本体２００のトレイ受容部２０５に受容された受容状態となる。
【００８３】
このとき、図５を参照して、トレイ３００の機構収容部３６０は、コネクタ本体２００の第１部材２１０の押圧部２２３と、イジェクトレバー２２２を収容している。即ち、この受容状態において、コネクタ本体２００の第１部材２１０のイジェクトレバー２２２は、部分的にトレイ３００の機構収容部３６０に収容されている。加えて、この受容状態において、トレイ３００の機構収容部３６０の被押圧部３６２は、前後方向において、コネクタ本体２００の第１部材２１０のイジェクトレバー２２２の押圧部２２３と接触している。
【００８４】
またこのとき、図６を参照して、コネクタ本体２００の第１部材２１０の検知スイッチ２４０は、少なくとも部分的にトレイ３００のスイッチ収容部３７０に収容されており、トレイ３００のスイッチ収容部３７０のスイッチ操作部３７２は、コネクタ本体２００の第１部材２１０の検知スイッチ２４０の被操作部２４２を押圧して検知スイッチ２４０を操作する。これにより、コネクタ本体２００の第１部材２１０の検知スイッチ２４０は、トレイ３００がコネクタ本体２００に受容された受容状態にあることを検知することができる。
【００８５】
更にこのとき、図３を参照して、トレイ３００の凹部３８５の被保持部３９０は、前後方向において、コネクタ本体２００の第１部材２１０の第１シェル２１１の側壁部２１３の保持バネ部２３０と接触している。より詳しくは、トレイ３００の凹部３８５の被保持部３９０は、コネクタ本体２００の第１部材２１０の第１シェル２１１の側壁部２１３の保持バネ部２３０から少なくとも前方に向かう力を受けている。これにより、トレイ３００がコネクタ本体２００に受容された受容状態においてイジェクトレバー２２２が操作されない場合、トレイ３００がコネクタ本体２００のトレイ受容部２０５から後方に排出されないようになっている。換言すれば、上記場合において、トレイ３００がコネクタ本体２００のトレイ受容部２０５に受容された受容状態が維持されるようになっている。
【００８６】
トレイ３００をコネクタ本体２００から排出する際の、コネクタ本体２００及びトレイ３００の各部位の動作及び状態を以下に詳述する。
【００８７】
まず、図３及び図１６を参照して、トレイ３００がコネクタ本体２００に受容された受容状態において、細い棒（図示せず）などを押し込むことによりイジェクトバー２２６を前後方向において前方に移動させ始めると、イジェクトレバー２２２の軸孔２２４が軸部２２５に押し付けられると共に、イジェクトレバー２２２の押付部２２９は、第１シェル２１１の前壁部２１２に押し付けられる。即ち、トレイ３００がコネクタ本体２００に受容された受容状態において、イジェクトバー２２６の前方への移動が開始されるとき、イジェクトレバー２２２は前壁部２１２に押し付けられる。これにより、イジェクトバー２２６を前方に移動させることによりイジェクトレバー２２２に付与された前方に向かう力は、排出機構２２０の軸部２２５と第１シェル２１１の前壁部２１２とに分散される。即ち、前壁部２１２は、軸部２２５の補強の役割を果たしている。
【００８８】
ここで、イジェクトバー２２６の前方への移動により、イジェクトバー２２６の係合部２２７は、イジェクトレバー２２２の被係合部２２８に対して前方に向かう力を付与する。これにより、イジェクトレバー２２２には、軸部２２５を中心とする回転モーメントが生じ、イジェクトレバー２２２の押圧部２２３には後方に向かう力が付与される。
【００８９】
このとき、トレイ３００の機構収容部３６０の被押圧部３６２は、コネクタ本体２００の第１部材２１０のイジェクトレバー２２２の押圧部２２３によって、後方に押圧される。
【００９０】
即ち、イジェクトバー２２６を前後方向において前方に移動させると、イジェクトレバー２２２が軸部２２５を軸として動き、押圧部２２３が被押圧部３６２を押圧する。
【００９１】
トレイ３００の機構収容部３６０の被押圧部３６２がコネクタ本体２００の第１部材２１０のイジェクトレバー２２２の押圧部２２３によって後方に押圧されると、トレイ３００の凹部３８５の被保持部３９０は、コネクタ本体２００の第１部材２１０の第１シェル２１１の側壁部２１３の保持バネ部２３０に対して斜め後方外側に向かう力を付与する。
【００９２】
ここで、イジェクトバー２２６を更に前方に移動させると、被保持部３９０から保持バネ部２３０に対して付与される斜め後方外側に向かう力が増大し、保持バネ部２３０が幅方向外側に弾性変形して、トレイ３００の凹部３８５の被保持部３９０とコネクタ本体２００の第１部材２１０の第１シェル２１１の側壁部２１３の保持バネ部２３０との前後方向における接触が解除される。
【００９３】
この状態でイジェクトバー２２６を更に前方に移動させると、コネクタ本体２００の第１部材２１０のイジェクトレバー２２２の押圧部２２３は、トレイ３００の機構収容部３６０の被押圧部３６２を更に後方に押圧し、トレイ３００がコネクタ本体２００のトレイ受容部２０５の開口部２０６から後方に排出される。即ち、図９に示されるように、トレイ３００がコネクタ本体２００に受容された受容状態が解除される。
【００９４】
以上、本発明について、実施の形態を掲げて具体的に説明してきたが、本発明はこれに限定されるわけではなく、種々の変形が可能である。
【００９５】
本実施の形態の排出機構２２０は、軸部２２５と、イジェクトレバー２２２と、押圧部２２３と、イジェクトバー２２６とを有していたが、本発明はこれに限定されない。即ち、排出機構２２０は、イジェクトバー２２６を有さなくてもよい。また、排出機構２２０は、トレイ３００の排出の際にトレイ３００を押圧する押圧部２２３を少なくとも有していればよい。更に、排出機構２２０は、イジェクトレバー２２２の代わりにプッシュプッシュ機構を有していてもよい。しかしながら、上述のように、トレイ３００がコネクタ本体２００に受容された受容状態において、トレイ３００の凹部３８５の被保持部３９０は、コネクタ本体２００の第１部材２１０の第１シェル２１１の側壁部２１３の保持バネ部２３０から少なくとも前方に向かう力を受けていることから、カードコネクタ１００のサイズを大きくすることなく、この保持バネ部２３０に抗ってトレイ３００を後方に押すためには、プッシュプッシュ機構よりも本実施の形態のイジェクトレバー２２２の方がよい。
【符号の説明】
【００９６】
１００        カードコネクタ
２００        コネクタ本体
２０５        トレイ受容部
２０６        開口部
２１０        第１部材
２１１        第１シェル
２１２        前壁部
２１３        側壁部
２１４        天井部
２１５        第１ハウジング
２１６        平板部
２１７        突出部
２２０        排出機構
２２２        イジェクトレバー
２２３        押圧部
２２４        軸孔
２２５        軸部
２２６        イジェクトバー
２２７        係合部
２２８        被係合部
２２９        押付部
２３０        保持バネ部
２４０        検知スイッチ
２４２        被操作部
２５０        第２部材
２５１        第２シェル
２５３        側壁部
２５４        底部
２５５        第２ハウジング
２７０        端子
２７２        第１端子
２７３        第１接点部
２７５        第２端子
２７６        第２接点部
３００        トレイ
３０５        最前端
３１０        第１カード収容部
３１２        前端
３２０        第１肉厚部
３４０        第２カード収容部
３４６        前端
３５０        第２肉厚部
３６０        機構収容部
３６２        被押圧部
３７０        スイッチ収容部
３７２        スイッチ操作部
３８０        仕切部
３８５        凹部
３９０        被保持部（平面）
５００        第１カード
５１０        パッド
６００        第２カード
Ｓ１          サイズ
Ｓ２          サイズ
【図１】
2019204642.tif 000003
【図２】
2019204642.tif 000004
【図３】
2019204642.tif 000005
【図４】
2019204642.tif 000006
【図５】
2019204642.tif 000007
【図６】
2019204642.tif 000008
【図７】
2019204642.tif 000009
【図８】
2019204642.tif 000010
【図９】
2019204642.tif 000011
【図１０】
2019204642.tif 000012
【図１１】
2019204642.tif 000013
【図１２】
2019204642.tif 000014
【図１３】
2019204642.tif 000015
【図１４】
2019204642.tif 000016
【図１５】
2019204642.tif 000017
【図１６】
2019204642.tif 000018
【図１７】
2019204642.tif 000019
【図１８】
2019204642.tif 000020
【図１９】
2019204642.tif 000021
【図２０】
2019204642.tif 000022
【図２１】
2019204642.tif 000023
【図２２】
2019204642.tif 000024